(57)【要約】  湾曲するインテークマニホールド（１０）の下面（２２）より下方へ突出するサポートブラケット（２３）と突起部（２４）とを設ける。複数の吸気ブランチ（１１）が並設される長手方向（Ｌ１）からみて、両者（２３，２４）をインテークマニホールドの重心（２５）に対して互いに反対側に配置する。これらサポートブラケット（２３）と突起部（２４）とを脚部としてインテークマニホールド（１０）を下側に向けて平坦な床面（Ｇ０）等に安定して載置可能である。サポートブラケット（２３）は、機関本体とインテークマニホールド（１０）とを締結する固定ボルト用のボス部としても機能する。
2013190883.tif 000002
【特許請求の範囲】
【請求項１】
複数の吸気ブランチが長手方向に沿って並設されるとともに、機関本体に組み付けられた組付状態で、鉛直方向の下面側が湾曲してなる内燃機関のインテークマニホールドにおいて、
湾曲する下面より下方へ突出するとともに、上記機関本体と上記インテークマニホールドとを締結する固定具用のボス部を有するサポートブラケットと、
上記長手方向からみて上記インテークマニホールドの重心に対して上記サポートブラケットと反対側に配置され、上記湾曲する下面より下方へ突出する突起部と、
を有する内燃機関のインテークマニホールド。
【請求項２】
上記突起部が上記長手方向に複数設けられ、
上記長手方向と直交する方向からみて、これら複数の突起部の間隙に、上記サポートブラケットのボス部が配置されている請求項１に記載の内燃機関のインテークマニホールド。
【請求項３】
上記突起部に、配管あるいは配線が固定される固定部が設けられている請求項１又は２に記載の内燃機関のインテークマニホールド。
【請求項４】
上記複数の吸気ブランチの内部通路の一端が開口する平坦なブランチ開口面を横切るように、周辺部品が設けられている請求項１〜３のいずれかに記載の内燃機関のインテークマニホールド。
【発明の詳細な説明】
【技術分野】
【０００１】
本発明は、内燃機関のインテークマニホールドに関する。
【背景技術】
【０００２】
内燃機関のインテークマニホールドでは、小型化を図りつつ慣性過給効果が得られる所定の通路長さを確保するように、例えば特許文献１に記載されているように、内部通路を略Ｃ字状に大きく湾曲させており、このため、機関本体への組付状態で下側となる下面側が湾曲する形状となっているものがある。
【先行技術文献】
【特許文献】
【０００３】
【特許文献１】特開２０１１−２２０２９９号公報
【発明の概要】
【発明が解決しようとする課題】
【０００４】
このようにインテークマニホールドの下面側が曲面形状をなしていると、下面側を下側に向けてインテークマニホールドを床面に載置した際に、すわり（安定感）が悪く、このインテークマニホールドが転がり易い。インテークマニホールドが転がると、下面近傍の構成部品を損傷するおそれがあるとともに、機関本体への組付の際に、作業者が改めてインテークマニホールドを搭載姿勢に指向させる作業が発生し、作業効率が低下する。【０００５】
本発明は、このような事情に鑑みてなされたものであり、下面側が曲面形状をなすインテークマニホールドでありながら、この下面側を下側に向けてインテークマニホールドを床面等に安定して載置可能な新規なインテークマニホールドを提供することを目的としている。
【課題を解決するための手段】
【０００６】
そこで本発明では、湾曲するインテークマニホールドの下面より下方へ突出するサポートブラケットと突起部とを設けている。これらのサポートブラケットと突起部とは、複数の吸気ブランチが並設される長手方向からみて、インテークマニホールドの重心に対して互いに反対側に配置されている。また、サポートブラケットは、機関本体とインテークマニホールドとを締結する固定具用のボス部としても機能している。【０００７】
従って、このインテークマニホールドの下面側を下側に向けて平坦な床面に載置する際に、重心を挟んで反対側に配置されるサポートブラケットと突起部とが脚部として機能し、インテークマニホールドを転がることなく安定して自立させることができる。
【発明の効果】
【０００８】
本発明によれば、下面側が曲面形状をなすインテークマニホールドでありながら、この下面側を下側に向けてインテークマニホールドを床面等に安定して載置することができる。従って、インテークマニホールドの転がりを抑制して、床面と構成部品との干渉を抑制するとともに、機関本体への組付の際に、作業者が改めてインテークマニホールドを搭載姿勢に指向させる作業の発生を抑制して、作業効率を向上することができる。しかも、インテークマニホールドを自立させるためのサポートブラケットが、機関本体とインテークマニホールドとを締結する固定具用のボス部としての機能を兼用しているために、構成の簡素化が図られている。
【図面の簡単な説明】
【０００９】
【図１】本発明の一実施例に係るインテークマニホールドを示す斜視図。
【図２】上記インテークマニホールドを示す上面図。
【図３】上記インテークマニホールドの機関本体への組付態様を示す斜視図。
【図４】上記インテークマニホールドの側面図。
【図５】上記インテークマニホールドへのスロットルチャンバの組付態様を示す側面図。
【発明を実施するための形態】
【００１０】
以下、図示実施例により本発明の一実施例に係るインテークマニホールド１０について説明する。このインテークマニホールド１０は、合成樹脂材料により射出成形される複数の部品を接合することによって形成され、複数本（この実施例では４本）の吸気ブランチ１１が気筒列方向である長手方向Ｌ１（図１，図２参照）に沿って並設され、その内部通路が略Ｃ字状に大きく湾曲する形状をなしており、機関本体であるシリンダヘッド１２及びシリンダブロック１３（図３参照）の吸気側の側壁に固定される。図４の矢印Ｙに示すように、吸気導入口１４から導入された吸気は、その内部通路を図４の時計回りの方向に旋回しつつ、途中で複数の吸気ブランチ１１へと分岐して、シリンダヘッド１２に形成された各気筒の吸気ポートへと供給される。
【００１１】
上記の吸気導入口１４には、スロットル弁を備えたスロットルチャンバ１５が装着される（図５参照）。また、吸気ブランチ１１のフランジ状をなすブランチ開口部３３の近傍には、各種の周辺部品として、吸気のタンブル流動を調整するタンブル制御弁１６を駆動するタンブル用アクチュエータ１７が取り付けられるとともに、このタンブル制御弁１６の開閉位置を検出するポジションセンサ１８が取り付けられ、かつ、吸気圧力を検出する圧力センサ（図示省略）が取り付けられるセンサ取付ボス部１９が設けられている。更に、有効吸気管長を切り換える可変吸気シャッタバルブ（図示省略）を駆動する可変吸気シャッタ用アクチュエータ２０が取り付けられている。吸気ブランチ１１の外周部分には、パージ制御弁（図示省略）が取り付けられるパージ制御弁用ボス部２１が設けられている。
【００１２】
このインテークマニホールド１０は、上述したように内部通路が略Ｃ字状に大きく湾曲していることから、機関本体であるシリンダヘッド１２及びシリンダブロック１３に組み付けられた組付状態で、鉛直方向の下面２２側が全体として円弧状に大きく湾曲している。そして本実施例では、この湾曲する下面２２より下方へ突出するサポートブラケット２３と突起部２４とが設けられている。これらのサポートブラケット２３と突起部２４とは、図４に示すように長手方向Ｌ１（図１，図２参照）からみて、インテークマニホールド１０のほぼ中心に位置する重心２５に対して互いに反対側に配置されている。
【００１３】
サポートブラケット２３は、吸気ブランチ１１の図４における左下部分の外周側を構成する半割構造の部品２６に一体的に形成されるもので、長手方向Ｌ１でみて下方へ向けて先細りする逆三角形状で斜め下方へ延在しているとともに、図１に示すように内部に補強用のリブ２８が設けられ、その下端のフランジ部分に、固定具としての固定ボルト３０が挿通する固定ボルト３０用のボス部としてのボルト孔２９が貫通形成されている。このボルト孔２９を挿通する固定ボルト３０はシリンダブロック１３に締結され、これによりインテークマニホールド１０のサポートブラケット２３とシリンダブロック１３とが共締め固定される。なお、インテークマニホールド１０の上部側は、図１に示すように、上記の固定ボルト３０とは異なる複数の固定ボルト３１等によってシリンダヘッド１２に固定されている。詳しくは、吸気ブランチ１１のフランジ状をなすブランチ開口部３３が、複数の固定ボルト３１によって、シリンダヘッド１２の吸気ポートが開口する吸気側の側壁１２Ａに共締め固定されている。従って、側壁１２Ａとの合わせ面となるブランチ開口面３３Ａは平坦な面とされており、このブランチ開口面３４Ａに、吸気ポートと連通することとなる複数の吸気ブランチ１１の内部通路の一端が開口している。
【００１４】
突起部２４は、吸気ブランチ１１の図４における右側部分の外周側を構成する半割構造の部品３２に一体的に形成されており、図２にも示すように、インテークマニホールド１０における長手方向Ｌ１の両側の二箇所に設けられている。各突起部２４は下方へ向けて舌状に張り出しており、図３にも示すように、これらの突起部２４に、冷却水が通流する配管３４，３５が固定されるようになっている。詳しくは、各突起部２４には、シリンダヘッド１２のウォータアウトレット３６とシリンダブロック１３のクーラブラケット３７とを繋ぐ二本の冷却水配管３４，３５を保持するクリップ３８，３９が嵌合・固定される固定部としての取付孔４０が設けられている。
【００１５】
図５に示すように、組付状態における下面側を下側に向けてインテークマニホールドを床面Ｇ０に載置した場合に、重心２５を挟んで互いに反対側に配置されるサポートブラケット２３と２つの突起部２４とが三点支持の脚部として機能し、下面２２が湾曲面をなすインテークマニホールド１０でありながら、このインテークマニホールド１０を作業台等の床面Ｇ０上に転がることなく安定して自立させることができる。これにより、タンブル用アクチュエータ１７等の構成部品と床面Ｇ０との干渉を抑制することができ、これにより例えば梱包時における干渉材の簡素化を図ることができる。また、図５に示すように、例えばスロットルチャンバ１５を締結ボルト４１を用いてインテークマニホールド１０へ組み付ける際にも、治具等を用いることなくインテークマニホールド１０を床面Ｇ０等に自立して載置することが可能であるために、作業効率が向上する。
【００１６】
図４の符号Ｇ１はインテークマニホールド１０を機関本体に組み付けた組付状態における水平面を表しており、符号Ｇ０は、インテークマニホールド１０を平坦な床面に載置した場合に床面に相当し、つまり床面に接触するサポートブラケット２３と突起部２４の下端を繋ぐ面に相当する。このように、２つの面Ｇ０，Ｇ１のなす角度θが０°〜２０°程度の小さな角度とされており、つまりサポートブラケット２３と突起部２４の下端を繋ぐ面Ｇ０が組付状態での水平面Ｇ１に近い面とされているために、インテークマニホールド１０を単体で床面Ｇ０に載置したときの姿勢が、符号Ｇ１を水平面とする機関本体への組付時の搭載姿勢とほぼ同じ姿勢となる。従って、機関本体への組付の際に、作業者が改めてインテークマニホールド１０を搭載姿勢に指向させる作業が発生しなくなるために、作業効率を向上することができる。
【００１７】
なお、上記の平坦なブランチ開口面３４Ａを下向きにしてインテークマニホールド１０を床面等に載置することも考えられるが、この場合、作業者が改めてインテークマニホールド１０を搭載姿勢に指向させる作業が発生し、本実施例の構造に比して、作業効率が低下する。
【００１８】
また、図１，図４及び図５に示すように、周辺部品としてのタンブル用アクチュエータ１７の一部が、上記の平坦なブランチ開口面３４Ａを横切るように、このブランチ開口面３４Ａよりも吸気ブランチ１１とは反対側（図４及び図５の左側）に張り出している構造の場合、この張り出した部分が床面等に干渉することから、平坦なブランチ開口面３４Ａを下向きとして床面等に載置することができない。従って、このように平坦なブランチ開口面を横切るように周辺部品が設けられ、このブランチ開口面を下向きに静置することができないインテークマニホールドに対して、安定して床面等に載置可能な本実施例の構造が特に有効である。
【００１９】
しかも、インテークマニホールド１０を自立させるためのサポートブラケット２３が、機関本体とインテークマニホールド１０とを締結する固定具用のボス部としての機能を兼用しているとともに、突起部２４が冷却水の配管３４，３５を保持・固定するための固定部としての機能を兼用しているために、構成の簡素化・合理化が図られている。
【００２０】
また、図２にも示すように、長手方向Ｌ１に直交する組付方向からみて、２つの突起部２４の間隙４２のほぼ中央部にサポートブラケット２３が配置されており、この間隙４２を通して固定ボルト３０（図１参照）を締結するための工具が挿入可能であるために、突起部２４が固定ボルト３０の締結作業を阻害することがない。
【００２１】
以上のように本発明を具体的な実施例に基づいて説明してきたが、本発明は上記実施例に限定されるものではなく、種々の変形や変更を含むものである。例えば、サポートブラケットや突起部の個数は上記実施例のものに限らず、突起部を三箇所以上に設けるようにしても良い。また、上記実施例では、固定部により冷却水の配管を保持するように構成しているが、オイル配管や電気配線などを保持するように構成しても良い。
【図１】
2013190883.tif 000003
【図２】
2013190883.tif 000004
【図３】
2013190883.tif 000005
【図４】
2013190883.tif 000006
【図５】
2013190883.tif 000007
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
複数の吸気ブランチが長手方向に沿って並設されるとともに、機関本体に組み付けられた組付状態で、鉛直方向の下面側が湾曲してなる内燃機関のインテークマニホールドにおいて、
湾曲する下面より下方へ突出するとともに、上記機関本体と上記インテークマニホールドとを締結する固定具用のボス部を有するサポートブラケットと、
上記長手方向からみて上記インテークマニホールドの重心に対して上記サポートブラケットと反対側に配置され、上記湾曲する下面より下方へ突出する突起部と、
を有し、
組付状態における下面側を下側に向けてインテークマニホールドを床面に載置する際に、上記サポートブラケットと突起部とが脚部として機能して、上記インテークマニホールドを床面上に自立させるように構成されている内燃機関のインテークマニホールド。
【請求項２】
上記突起部が上記長手方向に複数設けられ、
上記長手方向と直交する方向からみて、これら複数の突起部の間隙に、上記サポートブラケットのボス部が配置されている請求項１に記載の内燃機関のインテークマニホールド。
【請求項３】
上記突起部に、配管あるいは配線が固定される固定部が設けられている請求項１又は２に記載の内燃機関のインテークマニホールド。
【請求項４】
上記複数の吸気ブランチの内部通路の一端が開口する平坦なブランチ開口面を横切るように、周辺部品が設けられている請求項１〜３のいずれかに記載の内燃機関のインテークマニホールド。
【請求項５】
上記サポートブラケットと突起部の下端を繋ぐ面が、組付状態での水平面に近い面とされている請求項１〜４のいずれかに記載の内燃機関のインテークマニホールド。
【手続補正書】
【提出日】平成27年11月30日(2015.11.30)
【手続補正１】
【補正対象書類名】特許請求の範囲
【補正対象項目名】請求項１
【補正方法】変更
【補正の内容】
【請求項１】
複数の吸気ブランチが長手方向に沿って並設されるとともに、機関本体に組み付けられた組付状態で、鉛直方向の下面側が湾曲してなる内燃機関のインテークマニホールドにおいて、
湾曲する下面より下方へ突出するとともに、上記機関本体と上記インテークマニホールドとを締結する固定具用のボス部を有するサポートブラケットと、
上記長手方向からみて上記インテークマニホールドの重心に対して上記サポートブラケットと反対側に配置され、上記湾曲する下面より下方へ突出する突起部と、
を有し、
組付状態における下面側を下側に向けてインテークマニホールドを床面に載置する際に、上記サポートブラケットと突起部とが脚部として機能して、機関本体へ組み付ける状態のインテークマニホールドを床面上に自立させるように構成されている内燃機関のインテークマニホールド。
【国際調査報告】
2013190883.tif 000008
2013190883.tif 000009
2013190883.tif 000010
2013190883.tif 000011